(57)【特許請求の範囲】
【請求項１】
ワイヤレスマイク受信手段と制御手段を備え、利用者データベースにアクセス可能なカラオケ装置であって、
ワイヤレスマイク受信手段は、制御手段からのチャンネル指定信号に従って複数チャンネルの中から１つのチャンネルを受信可能とし、
ワイヤレスマイク受信手段は、受信チャンネルの搬送波を検出しているか否かを示す検出信号を出力し、
利用者データベースは、利用者ＩＤとチャンネルＩＤの対応づけ記述を含み、
制御手段は、待ち行列に登録された楽曲ＩＤに従ってリクエスト曲を順番に演奏し、
待ち行列には、リクエスト曲の楽曲ＩＤにリクエストした人の利用者ＩＤを対応づけして登録可能であり、
制御手段は、リクエスト曲の演奏に先立ち、その楽曲ＩＤに利用者ＩＤが対応づけされていない場合、ワイヤレスマイク受信手段に対してデフォルトチャンネルに設定するように指示するチャンネル指定信号を出力し、
制御手段は、リクエスト曲の演奏に先立ち、その楽曲ＩＤに利用者ＩＤが対応づけされている場合、利用者データベースにおいて当該利用者ＩＤとチャンネルＩＤの対応づけが存在するか否かを調べ、存在する場合は当該利用者ＩＤに対応するチャンネルＩＤを含んだチャンネル指定信号をワイヤレスマイク受信手段に出力して監視処理を行い、存在しない場合はワイヤレスマイク受信手段に対してデフォルトチャンネルに設定するように指示するチャンネル指定信号を出力し、
監視処理は、リクエスト曲の演奏が開始されてもワイヤレスマイク受信手段から搬送波の検出を示す検出信号が出力されない場合、ワイヤレスマイク受信手段に対してデフォルトチャンネルに設定するように指示するチャンネル指定信号を出力する
カラオケ装置。
【請求項２】
ワイヤレスマイク受信手段は、複数の受信チャンネルの中から手動操作により１つのデフォルトチャンネルを設定する手段を備える
請求項１に記載のカラオケ装置。
【請求項３】
２系統のワイヤレスマイク受信手段を内蔵した受信装置を備え、
一方のワイヤレスマイク受信手段は、請求項１に記載された要件を備えるものであり、
他方のワイヤレスマイク受信手段は、複数の受信チャンネルの中から手動操作により１つのデフォルトチャンネルを設定する手段を備える
請求項１または２に記載のカラオケ装置。
【発明の詳細な説明】
【技術分野】
【０００１】
この発明は、ボーカルマイクとして電波方式のワイヤレスマイクを使用するカラオケ装置に関し、とくに、熱心なカラオケ愛好者が個人所有する特注品のマイク（パーソナルマイクと呼ぶことにする）をカラオケ店に持参して使用するという状況を想定したカラオケ装置に関する。
【背景技術】
【０００２】
＝＝＝チャンネル選択・設定＝＝＝
周知のように、一般的な８００ＭＨｚ帯のワイヤレスマイクシステムには多数のチャンネルが割り当てられている。いうまでもなくワイヤレスマイクは受信装置とセットで使用され、送信チャンネルと受信チャンネルを一致させる必要がある。カラオケ集合店舗においては、１つの客室に備え付けのワイヤレスマイクの使用チャンネルと、隣室に備え付けのワイヤレスマイクの使用チャンネルを異ならせて、混信を防いでいる。そうしたチャンネル選択や設定を間違いなく簡便に行えるようにすることを意図した発明が、特許第３８０６６９９号公報、特許第３８０６７００号公報、特開２００３−２４４００８号公報、特開平６−３２６６２１号公報に記載されている。
【０００３】
＝＝＝リクエストした人のＩＤ登録＝＝＝
周知のように、カラオケ装置における演奏予約の待ち行列には、リクエスト曲の楽曲ＩＤとともにリクエストした人の利用者ＩＤを登録することができる。それを実現するためのシステムがいろいろと開発されて広く実用に供されており、カラオケの標準機能の１つとなっている（特許第３１４３４５６号公報、特許第３４２２６８８号公報、特許第３５７３４２２号公報、特許第３９４９６２４号公報、特許第４０５０２１６号公報）。
【０００４】
この機能により利用者ごとのカラオケ利用実績を記録することができ、これと利用者の個人情報データベースと組み合わせて多種多様な個人向けサービスを実施することができる（特許第４３１９０５４号公報、特許第４０４１０４９号公報、特許第３９６４３３５号公報）。
【発明の開示】
【０００５】
＝＝＝発明のきっかけ＝＝＝
周知のように、ボーリング場にはいろいろな特性のボールが標準装備されており、利用者はその中から自分にあったボールを選んでゲームをする。ただし、熱心なボーリング愛好者は標準装備のボールでは満足せず、専門店にて特注で製作してもらった自分用のボールを所有し（これをマイボールという）、マイボールをボーリング場に持参してゲームをしている。
【０００６】
発明者は、ボーリングのマイボールに着想を得て、カラオケのマイマイク（パーソナルマイク）の発明をなした。熱心なカラオケ愛好者が専門店に行き、自分の声質を詳しく測定してもらうとともにカラオケ装置で拡声される自分の声の好みを説明し、目的にかなった自分用に調整された周波数特性のマイクロホンを製作してもらう。これがパーソナルマイクであり、これをカラオケ店に持参して自分専用のマイクロホンとして利用する。
【０００７】
パーソナルマイクは、その携帯性のよさから電波式のワイヤレスマイクとし、カラオケ装置に付属のワイヤレスマイク受信装置に適合するものとする。この場合、１つのカラオケ付属マイクの使用チャンネルをパーソナルマイク使用時にはパーソナルマイク用チャンネルに切り替え、パーソナルマイク使用中は当該カラオケ付属マイクは使用できないようにすることが必要である。
【０００８】
また、多くのカラオケ愛好者がパーソナルマイクを持つようになることを想定すると、カラオケ集合店舗において隣室にいる利用者のパーソナルマイク同士が混信することも考えなければならない。この混信確率を小さくするには、販売するパーソナルマイクのチャンネルを共通にするわけにはいかない。専門店において、複数の割り当てチャンネルの中からランダムに選んだ１つのチャンネルを１つのパーソナルマイクに設定するような販売方法をとる必要がある。
【０００９】
＝＝＝発明の要旨＝＝＝
この発明は以上詳述した状況に鑑みて創作されたもので、その要旨とするところは、以下の事項（１）〜（９）により特定されるものである。
（１）ワイヤレスマイク受信手段と制御手段を備え、利用者データベースにアクセス可能なカラオケ装置であること
（２）ワイヤレスマイク受信手段は、制御手段からのチャンネル指定信号に従って複数チャンネルの中から１つのチャンネルを受信可能とすること
（３）ワイヤレスマイク受信手段は、受信チャンネルの搬送波を検出しているか否かを示す検出信号を出力すること
（４）利用者データベースは、利用者ＩＤとチャンネルＩＤの対応づけ記述を含むこと
（５）制御手段は、待ち行列に登録された楽曲ＩＤに従ってリクエスト曲を順番に演奏すること
（６）待ち行列には、リクエスト曲の楽曲ＩＤにリクエストした人の利用者ＩＤを対応づけして登録可能であること
（７）制御手段は、リクエスト曲の演奏に先立ち、その楽曲ＩＤに利用者ＩＤが対応づけされていない場合、ワイヤレスマイク受信手段に対してデフォルトチャンネルに設定するように指示するチャンネル指定信号を出力すること
（８）制御手段は、リクエスト曲の演奏に先立ち、その楽曲ＩＤに利用者ＩＤが対応づけされている場合、利用者データベースにおいて当該利用者ＩＤとチャンネルＩＤの対応づけが存在するか否かを調べ、存在する場合は当該利用者ＩＤに対応するチャンネルＩＤを含んだチャンネル指定信号をワイヤレスマイク受信手段に出力して監視処理を行い、存在しない場合はワイヤレスマイク受信手段に対してデフォルトチャンネルに設定するように指示するチャンネル指定信号を出力すること
（９）監視処理は、リクエスト曲の演奏が開始されてもワイヤレスマイク受信手段から搬送波の検出を示す検出信号が出力されない場合、ワイヤレスマイク受信手段に対してデフォルトチャンネルに設定するように指示するチャンネル指定信号を出力すること
【図面の簡単な説明】
【００１０】
【図１】実施例に係るカラオケ装置の概略構成図である。
【図２】実施例におけるワイヤレスマイク受信装置７の構成図である。
【図３】実施例における制御シーケンスのフローチャートである。
【実施例】
【００１１】
＝＝＝カラオケ装置の概要＝＝＝
図１はこの発明の実施例に係るカラオケ装置の概略構成を示す。以下では、説明の冗長性を排除するために、カラオケ装置の標準的な周知慣用技術に関する叙述は最小限にとどめる。メインコンピュータ１はカラオケ装置の全体的な制御とデータ処理を統括する。記憶システム２はハードディスク装置を含み、プログラムやデータベースや各種データ等を格納する。
【００１２】
ユーザインタフェース３は、メインコンピュータ１の制御により利用者に各種の情報を表示するとともに利用者からの情報の入力を受け付ける機能要素であり、操作パネル、リモコン、カラオケ索引データベースを取り扱うタブレットコンピュータ（電子目次本装置）などを含む。通信インタフェース４は、インターネットやＶＰＮを通じてカラオケホスト装置やカラオケデータベースサーバーとの通信を可能とする。
【００１３】
映像システム５は、メインコンピュータ１の制御に従い、カラオケ演奏時にカラオケ映像作品を表示するとともに歌詞字幕を表示する他、曲間にて各種の映像情報を表示したり、ユーザインタフェース３の表示機能の一部を分担もする。音響システム６は、メインコンピュータ１の制御に従いカラオケ伴奏音楽を生成し、ワイヤレスマイク受信装置７からの歌声信号を伴奏音楽と混合してスピーカーから音響出力する。
【００１４】
＝＝＝ワイヤレスマイク受信装置７の構成＝＝＝
図２はこの発明の実施例に係るワイヤレスマイク受信装置７の構成を示している。標準的なカラオケ装置は付属する２本のワイヤレスマイクを同時使用できるところ、この実施例も同様である。この場合の２本のワイヤレスマイクは混信しないように異なるチャンネルを使用するので、受信装置７は２本のワイヤレスマイクにそれぞれ対応した２つの受信回路を含んでいる。
【００１５】
一方の受信回路は、パーソナルマイクに非対応であり、標準的な構成である。つまり、アンテナ信号が高周波増幅器１１を経て選択同調回路１２に入力され、ここで選択された特定チャンネルに対応する周波数信号が復調回路１３に入力され、ワイヤレスマイクに音響入力された歌声信号が復調回路１３から出力され、音響システム６のミキシングアンプ６１に入力される。マイコン１４は、手動で切り替えられるチャンネル選択スイッチ１５の設定状態に対応したチャンネルになるように選択同調回路１２を制御する。
【００１６】
もう１つの受信回路は、この発明の要旨に係わるパーソナルマイク対応型である。図２において、高周波増幅回路２１・選択同調回路２２・復調回路２３・マイコン２４・チャンネル選択スイッチ２５の構成は基本的に上記と同様であるところ、マイコン２４が行うチャンネル制御機能が異なるとともに、選択同調回路２２に検出回路２６が付帯している点が異なる。
【００１７】
後述するように、メインコンピュータ１はマイコン２４に対してチャンネル指定信号を与え、マイコン２４はこのチャンネル指定信号とチャンネル選択スイッチ２５の設定状態に応じて選択同調回路２２を制御し、複数チャンネルの中の１つを受信チャンネルに決定する。具体的に、マイコン２４は、メインコンピュータ１からのチャンネル指定信号がデフォルトチャンネルに切り替えるように指示する内容である場合、チャンネル選択スイッチ２５による設定チャンネルを受信チャンネルにする。また、チャンネル指定信号にチャンネルＩＤが含まれている場合、マイコン２４はそのチャンネルＩＤに対応するチャンネルを受信チャンネルにする。
【００１８】
なお、検出回路２６は、選択同調回路２２において受信チャンネルの搬送波が所定レベル以上に検出されているのか否かを表す検出信号を出力し、この検出信号をメインコンピュータ１に入力する。
【００１９】
＝＝＝利用者データベースについて＝＝＝
背景技術の欄で説明したように、カラオケ装置は、利用者ＩＤをキーとして利用者に係わるさまざまな個人的情報を記述した利用者データベースにアクセス可能である。利用者データベースは、ネットワーク上のホスト装置あるいはデータベースサーバーに蔵置されており、カラオケ装置は随時にアクセス可能であるし、必要な情報をダウンロードすることができる。
【００２０】
この発明においては、パーソナルマイク利用登録をしている人に関する情報として、利用者データベースにおいて、利用者ＩＤとチャンネルＩＤを対応づけした記述が含まれている必要がある。このことは本発明を特徴づける１つの要素である。ここで、チャンネルＩＤとは、パーソナルマイク利用登録をした人が所有するパーソナルマイクの送信チャンネルを特定するＩＤである。たとえば、専門店が販売するパーソナルマイク用として２０チャンネルが割り当てられており、販売する１つのパーソナルマイクにはランダムに選んだ１つのチャンネルを設定する。そのチャンネルを特定するのがチャンネルＩＤである。
【００２１】
＝＝＝カラオケ演奏に伴う制御シーケンス＝＝＝
メインコンピュータ１は、演奏予約の待ち行列に登録された楽曲ＩＤの順番にカラオケ楽曲を演奏する。周知のように、待ち行列には、リクエスト曲の楽曲ＩＤにリクエストした人の利用者ＩＤを対応づけして登録することができる。
【００２２】
メインコンピュータ１は、リクエスト曲の演奏に先立ち、その楽曲ＩＤに利用者ＩＤが対応づけされていない場合、パーソナルマイク対応のための制御は行わず、マイコン２４に対してチャンネル指定信号によりデフォルトチャンネルに設定するように指令する。
【００２３】
メインコンピュータ１は、リクエスト曲の演奏に先立ち、その楽曲ＩＤに利用者ＩＤが対応づけされている場合、利用者データベースにおいて当該利用者ＩＤとチャンネルＩＤの対応づけが存在するか否かを調べる。この処理は、利用者データベースを管理するサーバーに問い合わせるという方式で実現することができる。また、データベースサーバーが利用者データベースに基づいて利用者ＩＤ／チャンネルＩＤ対応表を随時作成し、その対応表を各カラオケ装置に随時配信し、カラオケ装置が対応表を記憶システム２に蔵置しておき、リクエスト曲の演奏に先だって当該対応表を検索するという方式でも実現できる。後者の場合でも、カラオケ装置は利用者データベースにアクセスしているといえる。
【００２４】
利用者ＩＤとチャンネルＩＤとの対応づけ記述が存在しない場合、演奏しようとする楽曲のリクエスト者はパーソナルマイク利用登録をしていない。この場合、メインコンピュータ１は、マイコン２４に対してチャンネル指定信号によりデフォルトチャンネルに設定するように指令する。
【００２５】
利用者ＩＤとチャンネルＩＤとの対応づけ記述が存在する場合、演奏しようとする楽曲のリクエスト者は自分のパーソナルマイクで歌う可能性が高い。この場合、メインコンピュータ１は、当該チャンネルＩＤを含んだチャンネル指定信号をマイコン２４に送り、選択同調回路２２を該当のチャンネルに設定させる。そうすると、カラオケ装置の付属マイクの１つは使用できなくなるところ、２本あるマイクのうちパーソナルマイク使用時に使えなくなるマイクがどちらなのかを外観的に簡単に識別できるようにしておくのがよい。
【００２６】
リクエストした人が持っているであろうパーソナルマイク用に受信チャンネルを切り替えても、その人が自分のパーソナルマイクを持参していない場合もあり得る。その場合、リクエスト曲の演奏が開始されても、受信チャンネルの搬送波の検出を示す信号が検出回路２６から出力されることはない。そうであったならば、歌い出し区間に近づいてきた時点で、メインコンピュータ１は、マイコン２４に対してチャンネル指定信号によりデフォルトチャンネルに設定するように指令する。
【００２７】
周知のように、カラオケ楽曲データには前奏区間・第１歌唱区間・間奏区間・第２歌唱区間・後奏区間といった楽曲の時間的構成を区別するための標識符号が付いており（特許第３３２０００９号公報）、この標識符号を利用してパーソナルマイク用チャンネルからデフォルトチャンネルに戻すタイミングを制御する。
【００２８】
メインコンピュータ１が実行する上述の制御シーケンスを整理すると、図３のフローチャートのように表現することができる。
【図１】
0005460303.tif 000002
【図２】
0005460303.tif 000003
【図３】
0005460303.tif 000004